(57)【要約】      （修正有）【課題】筐体が長く、長手縁を水平に配置したり垂直に配置したりするアンテナを支持するアンテナ用スタンドにおいて、長手縁を垂直に配置した場合でも転倒しにくくする。【解決手段】アンテナ用スタンド１は、アンテナの筐体４の長手縁を水平または鉛直いずれかの方向として筐体４を支持する。スタンド１は、基台２２の後方縁部に、ほぼ垂直に支柱２４を設けてある。筐体４の長手縁をほぼ水平に配置した状態において筐体４の一側面が支柱２４の上端側の前面に接触している。基台２２の上面と支柱２４の両端との間に１対の側壁３６が形成されている。筐体４の長手縁を垂直に配置した状態において、筐体４の対向する１対の側面の下部が１対の側壁３６の内面に接している。側壁３６の内面に基台２２の前後方向に沿って突条が設けられ、筐体４の１対の側面に設けられた溝を、案内する。【選択図】図１３
2010130344.tif 000002
【特許請求の範囲】
【請求項１】
アンテナ素子が収容された概略直方体状の筐体の長手縁をほぼ水平または鉛直のいずれか選択された方向として、前記筐体を支持するアンテナ用スタンドであって、
基台と、
この基台の後方縁部に、前記基台に対してほぼ垂直に設けられ、前記筐体の長手縁をほぼ水平に配置した状態において前記筐体が前記基台と非接触の状態で前記筐体の一側面が先端側の前面に接触している支柱と、
前記支柱に設けられた前記一側面に対する取付部と、
前記基台の上面と前記支柱の両端との間にそれぞれ跨って形成され、前記筐体の長手縁を垂直に配置した状態において、前記筐体の対向する１対の側面の下部が、それぞれの内面に接する１対の側壁と、
この１対の側壁の少なくとも一方の内面に前記基台の前後方向に沿って設けられ、前記筐体の前記１対の側面の少なくとも一方に設けられた被案内部を、前記基台の前後方向にそれぞれ案内する案内部とを、
具備するアンテナ用スタンド。
【請求項２】
請求項１記載のアンテナ用スタンドにおいて、前記基台の上面の前記１対の側壁によって囲われた領域に、前記筐体を支持するように設けられた支持部を有するアンテナ用スタンド。
【請求項３】
請求項２記載のアンテナ用スタンドにおいて、前記１対の側壁の上端は、前記筐体の長手縁をほぼ水平にして前記支柱に取り付けられた状態において、前記筐体の前記基台の上面と対向する面に接触しているアンテナ用スタンド。
【発明の詳細な説明】
【技術分野】
【０００１】
本発明は、例えば室内で使用するアンテナを支持するアンテナ用スタンドに関し、特に、垂直偏波及び水平偏波いずれの電波を受信するかによってアンテナの取り付け方向を変更するものに関する。
【背景技術】
【０００２】
従来、上記のようなアンテナ用スタンドとしては、例えば特許文献１に開示されているようなものがある。特許文献１の技術によれば、アンテナは、それぞれ正方形の板状に構成された反射板部と放射素子部とを、隙間を空けて重なるように平行に配置してある。両者は、結合部によって結合されているが、結合部は、両者の隙間の中央に配置され、両者よりも小さい正方形の板状である。アンテナ用スタンドでは、板状のスタンド基台の上面にこれに対して垂直に概略角錐台状のアンテナ取付部が設けられている。基台の下面からアンテナ取付部の上面の両端に先端が突出するように２本のボルトが挿通され、これらボルトが、結合部に設けた挿通部に螺合させられる。挿通部は、結合部の周囲の４つの側面のうちの１つと、これと直交する別の側面とに設けられている。上記１つの側面に結合部を取り付けたとき、アンテナは水平偏波の電波を受信可能で、上記別の側面に結合部を取り付けたとき、アンテナは、垂直偏波の電波を受信可能である。
【０００３】
【特許文献１】特開２００８−１１８３５３号公報
【発明の開示】
【発明が解決しようとする課題】
【０００４】
上記の特許文献１の技術では、アンテナの反射板部及び放射素子部が正方形状であるので、水平及び垂直偏波のいずれの電波を受信する場合でも、スタンドに取り付けた際のアンテナの高さ寸法は変化しない。アンテナには、例えば概略直方体状に構成され、水平偏波を受信する場合、その長手縁を水平に配置し、垂直偏波を受信する場合、その長手縁を垂直に配置するものがある。このようなアンテナを特許文献１のアンテナ用スタンドに取り付ける場合、筐体の長手縁の端にある面をアンテナ取付部の上面にボルトで固定することになる。取り付けた状態では、アンテナの重心が高い位置にあり、わずかな衝撃が加わっても転倒する可能性がある。
【０００５】
本発明は、筐体が長く、水平偏波を受信する場合には、長手縁を水平に配置し、垂直偏波を受信する場合には、長手縁を垂直に配置するアンテナを支持するアンテナ用スタンドにおいて、長手縁を垂直に配置した場合でも、転倒しにくいアンテナ用スタンドを提供することを目的とする。
【課題を解決するための手段】
【０００６】
本発明の一態様によるアンテナ用スタンドは、アンテナ素子が収容された概略直方体状の筐体の長手縁をほぼ水平または鉛直のいずれか選択された方向として、前記筐体を支持するものである。アンテナ素子は、筐体の長手縁をほぼ水平に配置した状態で水平偏波の電波を受信し、筐体の長手縁をほぼ垂直に配置した状態で垂直偏波の電波を受信するものとすることができる。このスタンドは、基台を有している。基台は、例えばその下面がほぼ水平な面上に配置される。この基台の後方縁部に支柱が設けられている。支柱は、前記基台に対してほぼ垂直に設けられている。前記筐体の長手縁をほぼ水平に配置した状態において前記筐体が前記基台と非接触の状態で前記筐体の一側面が、支柱の先端側の前面に接触している。支柱は、後方に向かって凸に突出した内部が中空の形状とすることができ、その中空内部に基台に対して垂直に補強部を設けることもできる。支柱には、前記一側面に対する取付部が設けられている。取付部としては、例えばボルトのような固定手段を後面側から前面側に挿通可能なものを使用できる。この固定具が筐体を支柱に固定する。前記基台の上面と前記支柱の両端との間にそれぞれ跨って１対の側壁が形成されている。前記筐体の長手縁を垂直に配置した状態において、前記筐体の対向する１対の側面の下部が、１対の側壁それぞれの内面に接する。１対の側壁の外方に基台の両端が位置するように基台を構成することが望ましい。この１対の側壁の少なくとも一方の内面に前記基台の前後方向に沿って案内部が設けられている。案内部は、前記筐体の前記１対の側面の少なくとも一方に設けられた被案内部を、前記基台の前後方向にそれぞれ案内する。
【０００７】
このように構成したアンテナ用スタンドでは、水平偏波を受信する場合には、筐体の長手方向をほぼ水平に配置して、筐体の一側面を支柱の前面先端部に接触させて、取付部に挿通された固定手段によって固定する。また、垂直偏波を受信する場合には、筐体の長手縁を垂直に配置して、筐体を１対の側壁の前方側から後方側に滑らせる。このとき、１対側壁の内面に設けた案内部が筐体の被案内部を案内するので、円滑に挿入することができる。また、この挿入状態では、筐体の一端部は基台の上面上またはその近傍に位置するので、筐体の重心は、あまり高くならず、転倒しにくくなる。更に、固定手段を使用せずに、筐体を支持することができる。
【０００８】
基台の上面の１対の側壁によって囲われた領域に、筐体を支持するように支持部を設けることもできる。支持部としては、筐体の一端面に接触する僅かな高さのものが望ましい。筐体は、合成樹脂製とすることがある。その場合、モールド成型するが、型抜きしやすいように筐体の端面に抜き勾配が形成されることがある。そのような筐体をそのまま使用して１対の側壁間に配置した場合、僅かに筐体が傾くことがある。これを補正するために、支持部を設けてある。
【０００９】
更に、１対の側壁の上端は、前記筐体の長手縁をほぼ水平にして前記支柱に取り付けられた状態において、前記筐体の前記基台の上面と対向する面に接触することもできる。このように構成すると、水平に筐体を支持したとき、筐体の重量を側壁も分担することになり、固定手段に荷重が集中することがない。
【発明の効果】
【００１０】
以上のように、本発明によれば、長い筐体を持つアンテナをアンテナ用スタンドに水平または垂直いずれにも取り付けることができ、しかも、垂直に配置した場合でも、アンテナを転倒しにくくすることができる。
【発明を実施するための最良の形態】
【００１１】
本発明の一実施形態のアンテナ用スタンド１には、図８乃至図１１に示すようなアンテナ２が取り付けられる。このアンテナ２は、室内において使用されるもので、概略直方体状に構成された合成樹脂製の筐体４を有している。この筐体４は、その上面６及び下面８を貫通する長手方向に沿う長孔１０を有している。筐体４内には、アンテナ素子（図示せず）が配置されている。アンテナ素子としては、種々のものを使用できるが、筐体４の長手方向をほぼ水平に配置した状態で、筐体４の前面１２側から到来する水平偏波の電波を受信し、筐体４の長手方向をほぼ垂直方向に配置した状態で筐体４の前面１２側から到来する垂直偏波の電波を受信するものである。アンテナ素子で受信された信号は、必要に応じて筐体４内に設けた増幅器によって増幅されて、図９に示すように、下面８の下部に設けた接栓１４に供給され、接栓１４に接続された同軸ケーブルを介して受信機（図示せず）に供給される。この接栓１４は、筐体４の一方の端面１６と後面１８とに接近して設けられている。符号１９で示すのは、端面１６と対向する端面、符号２０で示すのは、空き接栓座である。
【００１２】
アンテナ用スタンド１は、例えば合成樹脂製で、基台２２を有している。基台２２は、図１及び図２に示すようにその平面形状が概略三角形状の板状体で、その三角形の底辺側が前面で、この底辺の対角が後面である。基台２２の前面の長さは、筐体４の前面１２の長さ寸法の１／２よりも長く、例えば約２／３の長さに形成され、前面から後面までの距離は、筐体４の前面１２及び後面１８間の距離よりも幾分短く、例えば約２／３の長さにされている。
【００１３】
基台２２の上面の後面よりも幾分前方に支柱２４が設けられている。支柱２４は、その前面がほぼ縦長の長方形状であり、後面側に向かって凸に突出している。支柱２４の高さ寸法は、筐体４の上面６及び下面８間の距離よりも長く選択されている。また、幅は、筐体４の上面６及び下面８間の距離にほぼ等しく選択されている。支柱２４の前面中央には、図３に示すように板状の補強体２６が基台２２の上面から上方に延びている。この補強体２６は支柱２４の後面まで延びている。支柱２４は、単純な一枚の板状体ではなく、前後方向に奥行きがあり、その中央に補強体２６が設けられているので、強度が充分に大きい。
【００１４】
この補強体２６の上部付近に取付部２８が形成されている。取付部２８は、筒状体で、その長さ方向が基台２２の前後方向に沿うように配置され、その長さ方向に沿って取付部２８の中心にボルト挿通孔３０が貫通している。
【００１５】
この取付部２８の四方を包囲するように４つの位置決め用の突起挿入口３２が設けられている。これら挿入口３２には、アンテナ２を水平にアンテナスタンド１に取り付ける際に、図１１に示すようにアンテナ２の筐体４の後面１８の中心の四方に設けた４つの位置決め用突起３４が、それぞれ挿入される。また、アンテナ２の筐体４の後面１８の中心には、ボルト挿通孔３０に挿通されたボルトが螺合するボルト孔３５が形成されている。
【００１６】
支柱２４の両側縁部の中途から下端までの領域から前方に向かって側壁３６、３６が伸延している。側壁３６、３６の上端は、支柱２４の両側縁部の中途から幾分前方に延びた支柱側上縁３７の前端から下方に向かって円弧状に湾曲して降下し、その後一直線状に前方に延びている。側壁３６、３６間の距離は、筐体４の上面６及び下面８間の距離にほぼ等しく形成されている。また、支柱２４の両側縁部における支柱２４の上端と側壁３６の支柱側上縁３７との距離は、筐体４の上面６及び下面８間の距離にほぼ等しくされ、支柱２４の両側縁部における支柱２４の上端と基台２２の上面との距離は筐体４の上面６及び下面８間の距離よりも長く選択されている。
【００１７】
これら側壁３６、３６の内面には、案内部、例えば突条３８、３８が、設けられている。突条３８、３８は、低くなっている側壁３６、３６の上端より幾分低い位置から後面まで直線状に伸延している。これら突条３８、３８に対応して筐体４の下面８の端面１６に近い位置に、被案内部、例えば直線状の溝４０が、図９に示すように後面１８側から前面１２側に向かって中途まで形成されている。下面８側には接栓１４が設けられているので、溝４０が接栓１４よりも端面１６側に寄るように構成されている。
【００１８】
また、基台２２の上面における側壁３６、３６に囲われた領域には、基台２２の前面側から後面側に向かって複数の支持部、例えば２条の突条４２、４２が互いに間隔をおいて平行に設けられている。
【００１９】
このように構成されたアンテナスタンド１に、水平偏波の電波を受信するようにアンテナ２を取り付ける場合、図１２に示すように、筐体４を水平に配置し、その後面１８の位置決め用突起３４を支柱２４の位置決め用の突起挿入口３２にそれぞれ挿入する。これによって、ボルト挿通孔３０とボルト孔３５とが一致し、また筐体４の下面１８が基台２２の上面と対向する。この下面１８が側壁３６の支柱側上縁３７上に接触して乗る。この状態で、ボルトをボルト挿通孔３０から挿通して、ボルト孔３５に螺合させる。この状態では、基台２２の前面の長さは、筐体４の上面６及び下面８の長さの約２／３であり、また基台２２の前後方向の長さも筐体４の前面１２及び後面１８の距離の約２／３の長さであるので、筐体４は安定した状態にある。しかも、筐体４の下面８は側壁３６の支柱２４に近い部分上に乗っているので、更に安定した状態にある。よって、衝撃を受けても転倒しにくい。
【００２０】
アンテナスタンド１に、垂直偏波の電波を受信するようにアンテナ２を取り付ける場合、図１３に示すように、筐体４を垂直に立て、端面１６が下側になるように、かつ後面１８が後ろ側になるようにして、側壁３６、３６の前側に配置し、筐体４の下面８の溝４０に一方の突条３８を挿入し、後方に筐体４を支柱２４に接触するまで滑らせる。従って、この筐体４の側壁３６、３６間への挿入は非常に容易に行える。このとき、支持部４２に筐体４の端面１６が接触する。また、上面６及び下面８は、側壁３６、３６に接触している。筐体４の端面１６は、ほぼ基台２２の上面に接触している状態であり、筐体４の重心は低くなっている。しかも、基台２２の上面は、端面１６よりも充分に大きい。従って、筐体４は安定した状態にあり、筐体４の端面１９側に衝撃が加わっても、筐体４は転倒しにくい。しかも、接栓１４は、側壁３６の低い上縁部付近に位置し、接栓１４に同軸ケーブルに接続されたコネクタが接続されるが、接栓１４の位置が低いので、同軸ケーブルが何らかの原因で引っ張られても、筐体４は転倒しにくい。
【００２１】
筐体４は合成樹脂製であるので、型によって製造される。その型を抜きやすくするために、筐体４の端面１６、１９は抜き勾配を持つ。そのため、端面１６を基台２２の上面に直接に接触させると、若干傾斜した状態になる。これを抑制するために支持部４２が形成されている。
【００２２】
このように、このスタンド１によれば、筐体４を水平に配置した場合でも、垂直に配置した場合でも、筐体４を転倒しにくくすることができる。
【００２３】
上記の実施形態では、基台２２は平面形状が概略三角形状のものを使用したが、これに限ったものではなく、四角形以上の多角形状とすることもできる。また、支持部４２を設けたが、場合によっては不要である。また、側壁３６、３６は、その上縁部の高さが変化するように構成したが、常に一定の高さとすることもできる。側壁３６に設けた突条３８を案内として使用したが、逆に側壁３６に溝４０を案内部として設け、突条３８を筐体４の下面１８に設けることもできる。また、上記の実施形態では、溝４０は筐体４の下面１８のみに設けたが、上面６にも設けることもできる。或いは、溝４０を一対の側壁の側壁３６の一方のみに溝４０を設ける場合、突条３８も、溝４０を設けた側壁と接触する筐体４の上面６または下面１８のみに１つだけ設けることもできる。アンテナ２の筐体４には、貫通孔１０を形成したが、必ずしも必要なものではない。
【図面の簡単な説明】
【００２４】
【図１】本発明の一実施形態のアンテナ用スタンドの斜視図である。
【図２】図１のアンテナ用スタンドの平面図である。
【図３】図１のアンテナ用スタンドの正面図である。
【図４】図１のアンテナ用スタンドの右側面図である。
【図５】図３のＡ−Ａ線に沿う断面図である。
【図６】図１のアンテナ用スタンドの背面図である。
【図７】図２のＢ−Ｂ線に沿う断面図である。
【図８】図１のアンテナ用スタンドに取り付けられるアンテナの正面図である。
【図９】図８のアンテナの底面図である。
【図１０】図８のアンテナの左側面図である。
【図１１】図８のアンテナの背面図である。
【図１２】図８のアンテナを水平に図１のアンテナ用スタンドに取り付けた状態の斜視図である。
【図１３】図８のアンテナを垂直に図１のアンテナ用スタンドに取り付けた状態の斜視図である。
【符号の説明】
【００２５】
１  アンテナ用スタンド
２  アンテナ
４  筐体
２２  基台
２４  支柱
２８  取付部
３６  側壁
３８  突条（案内部）
【図１】
2010130344.tif 000003
【図２】
2010130344.tif 000004
【図３】
2010130344.tif 000005
【図４】
2010130344.tif 000006
【図５】
2010130344.tif 000007
【図６】
2010130344.tif 000008
【図７】
2010130344.tif 000009
【図８】
2010130344.tif 000010
【図９】
2010130344.tif 000011
【図１０】
2010130344.tif 000012
【図１１】
2010130344.tif 000013
【図１２】
2010130344.tif 000014
【図１３】
2010130344.tif 000015